(57)【要約】【課題】既設支柱を取り除いた後のパイプを再利用しながら、新たな支柱を容易に固定することのできる、支柱固定方法及び支柱固定用ソケットを提供する。【解決手段】地面に埋設されたパイプ６０に挿入された既設支柱を取り除いて新たな支柱を設置するための支柱固定方法であって、パイプ６０から既設支柱を取り除く工程と、既設支柱を取り除いた後のパイプ６０に支柱固定用ソケット１００を挿入する工程と、支柱固定用ソケット１００をパイプ６０の壁面に係止する工程と、支柱固定用ソケット１００の上部に新たな支柱を固定する工程とを有する。支柱固定用ソケット１００は楔板３０によりパイプ６０の壁面に係止することが好ましい。【選択図】図５
2020105696.tif 000002
【特許請求の範囲】
【請求項１】
地面に埋設されたパイプに挿入された既設支柱を取り除いて新たな支柱を設置するための支柱固定方法であって、
前記パイプから前記既設支柱を取り除く工程と、前記既設支柱を取り除いた後のパイプに支柱固定用ソケットを挿入する工程と、前記支柱固定用ソケットを前記パイプの壁面に係止する工程と、前記支柱固定用ソケットの上部に新たな支柱を固定する工程とを有することを特徴とする支柱固定方法。
【請求項２】
前記支柱固定用ソケットを楔板により前記パイプの壁面に係止することを特徴とする請求項１に記載の支柱固定方法。
【請求項３】
地面に埋設されたパイプに挿入された既設支柱を取り除いて新たな支柱を設置するための支柱固定用ソケットであって、
前記既設支柱を取り除いた後のパイプに挿入されるとともに上部に新たな支柱を固定する本体部と、前記本体部を前記パイプに係止する係止部材とを有することを特徴とする支柱固定用ソケット。
【請求項４】
前記係止部材が楔板であることを特徴とする請求項３に記載の支柱固定用ソケット。
【発明の詳細な説明】
【技術分野】
【０００１】
本発明は、支柱固定方法及び支柱固定用ソケットに関するものである。
【背景技術】
【０００２】
従来、駐車場や公園等の入口には、車両等の進入を防止するための支柱が設けられている。一般的な支柱は、掘削機等を使用して地面に円筒形の穴を掘ってパイプを埋設し、そのパイプの中に支柱を抜き差し可能に立設したものである。そして、進入を防止するときには支柱を上方に抜き出した状態にし、侵入を許可するときには支柱全体をパイプ内に差し込んだ状態にするようにしていた。
【０００３】
これに対して、特許文献１〜３には、地面に円筒形の穴を掘ることなく施工することができるとともに、容易に着脱できるようにした支柱に関する発明が記載されている。
【０００４】
特許文献１に記載された着脱式中間支柱は、支柱本体の下端部に設けた装着用フランジ部を、地面に固定したセットプレートの溝部に水平方向に挿着するようにしたものである。
【０００５】
特許文献２に記載された着脱式中間支柱は、支柱本体の下端部に設けた係止板を、地面に固定したセットプレートの係止穴通し穴に嵌挿し回動させて固着するようにしたものである。
【０００６】
特許文献３に記載された着脱式パーク支柱は、支柱本体の下端部に設けた施錠板を、地面に固定した円形フランジ板状の基板のガイド穴に挿入し回動させて施錠するようにしたものである。
【先行技術文献】
【特許文献】
【０００７】
【特許文献１】実用新案登録第３２０６４１５号公報
【特許文献２】実用新案登録第３２０８８９５号公報
【特許文献３】実用新案登録第３２１５１００号公報
【発明の概要】
【発明が解決しようとする課題】
【０００８】
しかしながら、地面に円筒形の穴を掘ってパイプを埋設し、そのパイプの中に支柱を抜き差し可能に立設した従来の支柱の場合、車両等の進入を防止するために支柱を上方に抜き出した状態のときに車両等が衝突すると、支柱が途中で曲がってしまうことがあった。
【０００９】
支柱が途中で曲がってしまうと、進入を許可するときにパイプ内に支柱全体を差し込むことができず、支柱そのものをパイプから取り除かなければならなかった。そのため、曲がった支柱を上方に抜き出したままの状態で放置するか、支柱をパイプから取り除いたままの状態で放置されていた。
【００１０】
曲がった支柱を取り換える場合には、埋設したパイプにぴったり合うものを選択しなければならず、また支柱をパイプから取り除いたままの状態で放置すると、パイプ内に雨水や泥が溜まるなどして壁面が荒れてしまい、新たな支柱をスムーズに抜き差しできなくなるという問題があった。また、パイプ自体を交換したり、別の位置に新たなパイプを埋設すると、施工コストが増大することになるという問題があった。
【００１１】
一方、特許文献１〜３に記載された支柱の場合、地面に円筒形の穴を掘ることなく施工することができるが、地面に埋設された既存のパイプ利用することができず、地面に別途プレートを固定する必要があった。
【００１２】
本発明は、上記従来の課題を解決するものであり、既設支柱を取り除いた後のパイプを再利用しながら、新たな支柱を容易に固定することのできる、支柱固定方法及び支柱固定用ソケットを提供するものである。
【課題を解決するための手段】
【００１３】
上記課題を解決するため、本発明の支柱固定方法は、地面に埋設されたパイプに挿入された既設支柱を取り除いて新たな支柱を設置するための支柱固定方法であって、前記パイプから前記既設支柱を取り除く工程と、前記既設支柱を取り除いた後のパイプに支柱固定用ソケットを挿入する工程と、前記支柱固定用ソケットを前記パイプの壁面に係止する工程と、前記支柱固定用ソケットの上部に新たな支柱を固定する工程とを有することを特徴とする。
【００１４】
また好ましくは、前記支柱固定用ソケットを楔板により前記パイプの壁面に係止することを特徴とする。
【００１５】
また、本発明の支柱固定用ソケットは、地面に埋設されたパイプに挿入された既設支柱を取り除いて新たな支柱を設置するための支柱固定用ソケットであって、前記既設支柱を取り除いた後のパイプに挿入されるとともに上部に新たな支柱を固定する本体部と、前記本体部を前記パイプに係止する係止部材とを有することを特徴とする。
【００１６】
また好ましくは、前記係止部材が楔板であることを特徴とする。
【発明の効果】
【００１７】
本発明の支柱固定方法は、地面に埋設されたパイプに挿入された既設支柱を取り除いて新たな支柱を設置するための支柱固定方法である。そして、パイプから既設支柱を取り除く工程と、既設支柱を取り除いた後のパイプに支柱固定用ソケットを挿入する工程と、支柱固定用ソケットをパイプの壁面に係止する工程と、支柱固定用ソケットの上部に新たな支柱を固定する工程とを有している。従って、既設支柱を取り除いた後のパイプに挿入した支柱固定用ソケットをパイプの壁面に係止することにより、支柱固定用ソケットをパイプ内に固定することができる。そして、パイプを再利用しながら、新たな支柱を容易に固定することができる。
【００１８】
また、支柱固定用ソケットを楔板によりパイプの壁面に係止する場合には、楔板に力を加えることにより、容易に壁面に係止することができる。
【００１９】
また、本発明の支柱固定用ソケットは、地面に埋設されたパイプに挿入された既設支柱を取り除いて新たな支柱を設置するための支柱固定用ソケットである。そして、既設支柱を取り除いた後のパイプに挿入されるとともに上部に新たな支柱を固定する本体部と、本体部をパイプに係止する係止部材とを有している。従って、既設支柱を取り除いた後のパイプに挿入した支柱固定用ソケットの本体部を係止部材によりパイプの壁面に係止することにより、支柱固定用ソケットをパイプ内に固定することができる。そして、パイプを再利用しながら、新たな支柱を容易に固定することができる。
【００２０】
また、係止部材が楔板である場合には、楔板に力を加えることにより、容易に壁面に係止することができる。
【００２１】
このように、本発明によれば、既設支柱を取り除いた後のパイプを再利用しながら、新たな支柱を容易に固定することのできる、支柱固定方法及び支柱固定用ソケットを提供することができる。
【図面の簡単な説明】
【００２２】
【図１】本発明の実施形態１に係る支柱固定用ソケットを示す（Ａ）平面図、（Ｂ）ａ−ａ線断面図、（Ｃ）正面図である。
【図２】実施形態１に係る支柱固定用ソケットのフランジ部を示す（Ａ）平面図、（Ｂ）ａ−ａ線断面図である。
【図３】実施形態１に係る支柱固定用ソケットの本体部を示す（Ａ）平面図、（Ｂ）ａ−ａ線断面図、（Ｃ）正面図、（Ｄ）ｂ−ｂ線断面図である。
【図４】実施形態１に係る支柱固定用ソケットの（Ａ）楔板を示す平面図、（Ｂ）楔板を示す正面図、（Ｃ）調整ネジを示す正面図である。
【図５】実施形態１に係る支柱固定用ソケットをパイプに挿入した状態を示す図である。
【図６】実施形態１に係る支柱固定用ソケットに支柱を固定した状態を示す図である。
【図７】実施形態１に係る支柱の接続状態を示す斜視図である。
【図８】実施形態１に係る支柱固定方法の説明図である。
【図９】実施形態２に係る支柱固定用ソケットをパイプに挿入した状態を示す図である。
【図１０】実施形態２に係る支柱固定用ソケットに支柱を固定した状態を示す図である。
【図１１】実施形態２に係る支柱の接続状態を示す斜視図である。
【図１２】実施形態２に係る支柱固定方法の説明図である。
【発明を実施するための形態】
【００２３】
次に、図１乃至図１２を参照して、本発明の実施形態に係る支柱固定方法及び支柱固定用ソケットについて説明する。
【００２４】
（実施形態１）
まず、図１〜図４を参照して、実施形態１に係る支柱固定用ソケット１００について説明する。図１は、支柱固定用ソケット１００を示す（Ａ）平面図、（Ｂ）ａ−ａ線断面図、（Ｃ）正面図である。図２は、支柱固定用ソケット１００のフランジ部１０を示す（Ａ）平面図、（Ｂ）ａ−ａ線断面図である。図３は、支柱固定用ソケット１００の本体部２０を示す（Ａ）平面図、（Ｂ）ａ−ａ線断面図、（Ｃ）正面図、（Ｄ）ｂ−ｂ線断面図である。図４は、支柱固定用ソケット１００の（Ａ）楔板３０を示す平面図、（Ｂ）楔板３０を示す正面図、（Ｃ）調整ネジ４０を示す正面図である。
【００２５】
支柱固定用ソケット１００は、円板状のフランジ部１０の中央に角パイプ状の本体部２０が溶接等により接続されて構成されている。
【００２６】
フランジ部１０の中央には、本体部２０の平面形状に対応した角穴１１が形成されており、フランジ部１０の上方から本体部２０に向けて貫通するようになっている。また、フランジ部１０には４カ所のネジ穴１２が形成されている。
【００２７】
本体部２０は角パイプ状であって、上端部及び下端部が開口している。本体部２０の上部近傍には、２つの丸穴２１，２１及び２つの矩形状の長穴２２，２２が形成されている。丸穴２１，２１と長穴２２，２２とは異なる側面に形成されており、丸穴２１，２１同士が対向し、長穴２２，２２同士が対向している。
【００２８】
本体部２０の下端部近傍には、４つの爪板２３，２３，２３，２３が形成されている。爪板２３は、本体部２０の下端部の４つの側面に、それぞれ切れ込みを入れることにより形成されており、側面に対して折れ曲げることができるようになっている。爪板２３は、後述する係止部材として機能する。
【００２９】
楔板３０は、矩形状の板材を頂部３２で折り曲げて形成されており、左右に下降部３１，３３が設けられている。本体部２０の長穴２２，２２は、楔板３０が挿通可能なように楔板３０の横断面よりも若干大きめに形成されている。楔板３０は、後述する係止部材として機能する。
【００３０】
調整ネジ４０は、ボルト４１及びナット４２から構成されている。本体部２０の丸穴２１，２１は、ボルト４１の軸部が挿通可能に形成されている。丸穴２１，２１の内側にボルト４１のネジ山に対応する溝を形成してもよい。調整ネジ４０は、後述する係止部材として機能する。
【００３１】
支柱固定用ソケット１００は、既設支柱を取り除いた後の、地面に埋設されたパイプに挿入されて使用される。図５は、支柱固定用ソケット１００をパイプ６０に挿入した状態を示す図である。支柱固定用ソケット１００は、丸型や角型等の様々な形状のパイプ６０に対応することができる。なお、支柱固定用ソケット１００の長さは特に限定されないが、長いほど安定性が高く、上部に固定する支柱の長さや、パイプ６０の深さ等に応じて適宜調整することができる。
【００３２】
パイプ６０に挿入された支柱固定用ソケット１００は、次のようにしてパイプ６０内に係止される。まず、本体部２０の下端部近傍に形成された４つの爪板２３，２３，２３，２３が、本体部２０の各側面から外側に折り曲げられた状態でパイプ６０の壁面に当接する。そして、本体部２０の上端部近傍に形成された長穴２２，２２に楔板３０が挿通され、楔板３０の両端部がパイプ６０の壁面に当接する。さらに、本体部２０の上端部近傍に形成された丸穴２１，２１に調整ネジ４０，４０が挿通され、各々の先端がパイプ６０の壁面に当接する。なお、爪板２３や調整ネジ４０は、必ずしもすべてが完全に壁面に当接していなくてもよい。
【００３３】
なお、支柱固定用ソケット１００のフランジ部１０とパイプ６０の上部とは固定されておらず、支柱固定用ソケット１００は、爪板２３、楔板３０及び調整ネジ４０により本体部２０をパイプ６０の内壁に係止することによって固定される。従って、支柱固定用ソケット１００を取り付けるにあたって、パイプ６０の上部の形状に影響されることはない。なお、図５における固定ネジ１は、フランジ部１０に後述する支柱固定用プレート９０を固定するためのものである。
【００３４】
図６は、支柱固定用ソケット１００に支柱５０を固定した状態を示す図である。また図７は、支柱５０の接続状態を示す斜視図である。パイプ６０に支柱固定用ソケット１００の本体部２０が固定され、フランジ部１０の上面に支柱固定用プレート９０がネジ１により固定される。そして、支柱固定用プレート９０の上に支柱５０が固定される。なお、支柱固定用プレート及び支柱の固定構造については、上述の特許文献１〜３に記載された構造とすることができるし、その他の構造とすることもできる。
【００３５】
次に、実施形態１に係る支柱固定用ソケット１００を用いた支柱固定方法について、詳細に説明する。図８は、実施形態１に係る支柱固定方法の説明図であり、折れ曲がった既設支柱８０を取り除いて、新たな支柱５０を設置するものである。
【００３６】
（手順１）
地面に埋設されたパイプ６０に挿入された既設支柱８０を取り除く。
【００３７】
（手順２）
パイプ６０の内径ｄに合わせて、支柱固定用ソケット１００の本体部２０の４つの爪板２３を各側面から外側に折り曲げる。このとき、対向する爪板２３，２３の両端部の間隔ｄ’を内径ｄよりもわずかに狭くして、本体部２０をパイプ６０に挿入できる範囲で、できるだけ両端部がパイプ６０の内壁に当接するようにしておく。
【００３８】
また、本体部２０の長穴２２，２２に、楔板３０を正面視略へ字状になるように挿通させる。このとき、楔板３０の下降部３１，３３がそれぞれ長穴２２，２２から突出した状態になる。楔板３０の両端部の間隔は、本体部２０をパイプ６０に挿入できる範囲であればよい。
【００３９】
また、本体部２０の丸穴２１，２１に、それぞれ調整ネジ４０，４０を取り付ける。このとき、調整ネジ４０，４０の両端部の間隔ｄ’を内径ｄよりもわずかに狭くして、本体部２０をパイプ６０に挿入できる範囲で、できるだけ両端部がパイプ６０の内壁に当接するようにしておく。
【００４０】
（手順３）
パイプ６０に支柱固定用ソケット１００の本体部２０を挿入する。
【００４１】
（手順４）
フランジ部１０の角穴１１から棒７０を挿入して、棒７０の先端を楔板３０の頂部３２に当接させた状態で、上からハンマー等で叩く。これにより、楔板３０は外側に向けて押し広げられ、下降部３１，３３の先端部がパイプ６０の内壁に強く押圧される。このとき楔板３０は完全に平板状にはならず山型を保った状態である。従って、楔板３０を平板状にしたときの長さは、パイプ６０の内壁間の距離よりも長い必要がある。この段階で、支柱固定用ソケット１００の本体部２０は、爪板２３、楔板３０、調整ネジ４０の各係止部材により、パイプ６０の内壁に係止されて固定された状態になる。なお、楔板３０は両端部が内壁に押圧された状態になって固定されるので、楔板３０の近傍に設けられた調整ネジ４０についても、できるだけ正確に内壁へ当接するように調整することが好ましい。
【００４２】
（手順５）
フランジ部１０の上面に支柱固定用プレート９０をネジ１により固定する。
【００４３】
（手順６）
支柱固定用プレート９０の上に新たな支柱５０を固定する。以上により、折れ曲がった既設支柱８０が取り除かれ、新たな支柱５０の設置が完了する。
【００４４】
（実施形態２）
まず、図９〜図１２を参照して、実施形態２係る支柱固定方法及び支柱固定用ソケットについて説明する。図９は、支柱固定用ソケットをパイプに挿入した状態を示す図である。図１０は、支柱固定用ソケットに支柱を固定した状態を示す図である。図１１は、支柱の接続状態を示す斜視図である。図１２は、支柱固定方法の説明図である。
【００４５】
実施形態２に係る支柱固定方法及び支柱固定用ソケットは、実施形態１とほぼ同様の構成であり、共通する部分には同一の符号を付し、説明を省略する。
【００４６】
実施形態２に係る支柱固定用ソケットは、実施形態１に係る支柱固定用ソケット１００の本体部２０に形成した４つの爪板２３，２３，２３，２３を、４つの調整ネジ４５，４５，４５，４５に変更したものである。
【００４７】
そして、実施形態１における（手順２）において、４つの爪板２３を折り曲げる代わりに、本体部２０に形成された４つの丸穴に、それぞれ調整ネジ４５，４５，４５，４５を取り付ける。そして、対向する調整ネジ４５，４５の両端部の間隔ｄ’を内径ｄよりもわずかに狭くして、本体部２０をパイプ６０に挿入できる範囲で、できるだけ両端部がパイプ６０の内壁に当接するようにしておく。その他の手順は、実施形態１と同様である。
【００４８】
本実施形態に係る支柱固定方法は、地面に埋設されたパイプ６０に挿入された既設支柱８０を取り除いて新たな支柱５０を設置するための支柱固定方法である。そして、パイプ６０から既設支柱８０を取り除く工程と、既設支柱８０を取り除いた後のパイプ６０に支柱固定用ソケット１００を挿入する工程と、支柱固定用ソケット１００をパイプ６０の壁面に係止する工程と、支柱固定用ソケット１００の上部に新たな支柱５０を固定する工程とを有している。従って、既設支柱８０を取り除いた後のパイプ６０に挿入した支柱固定用ソケット１００をパイプ６０の壁面に係止することにより、支柱固定用ソケット１００をパイプ６０内に固定することができる。そして、パイプ６０を再利用しながら、新たな支柱５０を容易に固定することができる。
【００４９】
また、支柱固定用ソケット１００を楔板３０によりパイプ６０の壁面に係止する場合には、楔板３０に力を加えることにより、容易に壁面に係止することができる。
【００５０】
また、本実施形態に係る支柱固定用ソケット１００は、地面に埋設されたパイプ６０に挿入された既設支柱８０を取り除いて新たな支柱５０を設置するための支柱固定用ソケット１００である。そして、既設支柱８０を取り除いた後のパイプ６０に挿入されるとともに上部に新たな支柱５０を固定する本体部２０と、本体部２０をパイプ６０に係止する係止部材２３，３０，４０，４５とを有している。従って、既設支柱８０を取り除いた後のパイプ６０に挿入した支柱固定用ソケット１００の本体部２０を係止部材２３，３０，４０，４５によりパイプ６０の壁面に係止することにより、支柱固定用ソケット１００をパイプ６０内に固定することができる。そして、パイプ６０を再利用しながら、新たな支柱５０を容易に固定することができる。
【００５１】
また、係止部材が楔板３０である場合には、楔板３０に力を加えることにより、容易に壁面に係止することができる。
【００５２】
このように、本実施形態に係る支柱固定方法及び支柱固定用ソケットによれば、既設支柱８０を取り除いた後のパイプ６０を再利用しながら、新たな支柱５０を容易に固定することができる。
【００５３】
以上、本発明の実施形態に係る支柱固定方法及び支柱固定用ソケットについて説明したが、本発明は上述した実施の形態に限定されるわけではなく、その他種々の変更が可能である。
【００５４】
上記実施形態では、係止部材として、爪板、楔板、調整ネジを用いたが、これらの組み合わせは自由であり、またその他の係止部材を用いることもできる。ただし、パイプの内壁に強く押圧することができるので、楔板を用いること好ましい。
【符号の説明】
【００５５】
１  固定ネジ
１０  フランジ部
１１  角穴
１２  ネジ穴
２０  本体部
２１  丸穴
２２  長穴
２３  爪板（係止部材）
３０  楔板（係止部材）
３１  下降部
３２  頂部
３３  下降部
４０  調整ネジ（係止部材）
４１  ボルト
４２  ナット
５０  支柱（新設）
６０  パイプ
７０  棒
８０  支柱（既設）
９０  支柱固定用プレート
１００  支柱固定用ソケット
【図１】
2020105696.tif 000003
【図２】
2020105696.tif 000004
【図３】
2020105696.tif 000005
【図４】
2020105696.tif 000006
【図５】
2020105696.tif 000007
【図６】
2020105696.tif 000008
【図７】
2020105696.tif 000009
【図８】
2020105696.tif 000010
【図９】
2020105696.tif 000011
【図１０】
2020105696.tif 000012
【図１１】
2020105696.tif 000013
【図１２】
2020105696.tif 000014